(57)【特許請求の範囲】
【請求項１】
複数のスラットが上下に連続して構成されたスラットカーテンと、該スラットカーテンの左右の側端部において上下方向に長手垂直に立設され、前記スラットカーテンの昇降を案内すべき開口溝が設けられたガイドレールとを有したシャッターにおいて、
前記左右のガイドレールに配設され、前記スラットカーテンの側端部の表裏面にそれぞれ接触し得るように対向する内壁面を有し、ガイドレールに沿った垂直な軸線をそれぞれ中心として前記スラットカーテンの表裏方向に回動自在な一対の抜止部材を具備し、前記一対の抜止部材は、スラットカーテンが撓んだ時に、スラットカーテンの撓みに沿って、該一対の抜止部材の内壁面間の幅が狭くなるように夫々回動し、スラットカ−テンの側端部の表裏を各内壁面の間で挟持するようにしたことを特徴とするスラットカーテンの抜止構造。
【発明の詳細な説明】
【０００１】
【発明の属する技術分野】
本発明は、スラットカーテンが風圧などによってガイドレールから抜け出すのを防止するシャッターにおけるスラットカーテンの抜止構造に関するものである。
【０００２】
【従来の技術】
シャッターのスラットカーテンが、例えば台風などによる風圧によって撓み、スラットカーテンの昇降を案内するガイドレールから、その側端部が抜け出て外れるのを防止するため、従来より、以下に説明するようなスラットカーテンの抜止構造が知られている。
【０００３】
従来のスラットカーテンの抜止構造は、図４に示すように、ガイドレール１０３がスラットカーテン１０２の対応する側端部をそれぞれ上下方向に案内する略断面コ字状の案内溝１０４を有している。
このガイドレール１０３は、建物などの構造物に対して固定されるガイドレール本体１１３と、ガイドレール本体１１３に対して回動自在に取り付けられた一対の内壁部材１２３，１３３とからなる。内壁部材１２３，１３３の回動中心１０５，１０５はその中間部に上下方向に設けられたものであって、内壁部材１２３，１３３の回動範囲は、案内溝１０４の自由端に対応する側端部１２３ａ，１３３ａが所定位置を越えてそれぞれ外側（互いに遠のく方向）には開かないようにガイドレール本体１０３によって規制されている。また、各内壁部材１２３，１３３の対向内面には消音用のモヘヤ１０６，１０６が設けられている。
【０００４】
そして、風圧によって、図４に一点鎖線で示すの如く厚さｔのスラットカーテン１０２が図中下方に撓んだ場合、これによって一対のもののうち一方（図中上側）の内壁部材１２３がスラットカーテン１０２の対応する側端部の変位に従って、対応する回動中心１０５を中心として反時計方向に角度θ分だけ回動する。しかし、他方の内壁部材１３３は図示した状態から反時計方向へは回動できないように規制されているので、一方の内壁部材１２３の自由端１２３ａと他方の内壁部材１３３の自由端１３３ａとの距離が近付くこととなる。
【０００５】
これによって、裏表一対の内壁部材１２３，１３３で設定される案内溝１０４の当初の溝幅ｓがスラットカーテン１０２の厚みｔと等しくなるまで狭まり、モヘヤ１０６も押しつぶされて、スラットカーテン１０２の側端部は対応する案内溝１０４に掴まれることとなりスラットカーテン１０２が抜け止めされる。
【０００６】
【発明が解決しようとする課題】
しかしながら、上述した従来のスラットカーテンの抜止構造では、風圧によってスラットカーテン１０２が湾曲して撓んだ際に、一方の内壁部材１２３が角度θ回動して、その自由端１２３ａと他方の内壁部材１３３の自由端１３３ａとの距離がスラットカーテン１０２の厚みｔと等しくなるまで狭まり、スラットカーテン１０２の側端部を掴むように構成されているが、この場合、スラットカーテン１０２を掴む部分は、内壁部材１２３の内面と、内壁部材１３３の自由端１３３ａとの間であり、スラットカーテン１０２がさらに撓もうとした時には、スラットカーテン１０２が内壁部材１３３の自由端１３３ａを支点として屈曲するおそれがあった。
【０００７】
また、内壁部材１２３が角度θ分だけしか回動しないように規制され、案内溝１０４の溝幅ｓがスラットカーテン１０２の厚みｔと等しくなるまでしか狭まらないため、スラットカーテン１０２を掴む力がそれ以上期待できず、スラットカーテン１０２がさらなる風圧によって撓もうとした時には、スラットカーテン１０２がガイドレール１０３から抜けてしまうという問題が生じる。
【０００８】
そこで本発明は、上記課題を解消するために、風圧などによってスラットカーテンが撓んだ際に、スラットカーテンのガイドレールからの抜け出しを確実に防止することができるシャッターにおけるスラットカーテンの抜止構造を提供することを目的としている。
【０００９】
【課題を解決するための手段】
上記目的を達成するため本発明によるシャッターにおけるスラットカーテンの抜止構造は、複数のスラットが上下に連続して構成されたスラットカーテン１と、該スラットカーテン１の左右の側端部において上下方向に長手垂直に立設され、前記スラットカーテン１の昇降を案内すべき開口溝２ａが設けられたガイドレール２とを有したシャッターにおいて、
前記左右のガイドレール２，２に配設され、前記スラットカーテン１の側端部１ａの表裏面にそれぞれ接触し得るように対向する内壁面５ａ，５ａを有し、ガイドレール２に沿った垂直な軸線をそれぞれ中心として前記スラットカーテン１の表裏方向に回動自在な一対の抜止部材５，５を具備し、前記一対の抜止部材５，５は、スラットカーテン１が撓んだ時に、スラットカーテン１の撓みに沿って、該一対の抜止部材５，５の内壁面５ａ，５ａ間の幅が狭くなるように夫々回動し、スラットカ−テン１の側端部の表裏を各内壁面５ａ，５ａの間で挟持するようにしたことを特徴としている。
【００１０】
なお、前記シャッターにおけるスラットカーテンの抜止構造には、スラットカーテン１を昇降させる通常使用時において、各抜止部材５，５の内壁面５ａ，５ａをスラットカーテン１の表裏面と平行となるように位置決め付勢する位置決手段７を設けてもよい。
【００１１】
スラットカーテン１が強風を受けて湾曲して撓んだ際には、スラットカーテン１の側端部１ａが各抜止部材５，５の内壁面５ａ，５ａと接触し、各抜止部材５，５がスラットカーテン１の撓みに添ってそれぞれ回動する。これにより、スラットカーテン１の表裏面と対向する内壁面５ａ，５ａの間隔が狭くなって、スラットカーテン１の側端部１ａを挟持するようになり、スラットカーテン１の抜け出しが防止される。
【００１２】
【発明の実施の形態】
図１（ａ）は本発明のシャッターにおけるスラットカーテンの抜止構造を示す平断面図である。
【００１３】
始めに、シャッターは、複数の横長略短冊状のスラットが上下に連続するように構成されたスラットカーテン１を有している。このスラットカーテン１は、上下方向に長手垂直に立設された左右一対のガイドレール２，２に対し、左右の側端部１ａが挿入されて、その昇降が案内されている。
本発明のスラットカーテンの抜止構造は、スラットカーテン１を案内すべく設けられたガイドレール２を主として構成されており、以下の説明では、左右一対のガイドレール２，２の内、一方のガイドレール側を図示して説明する。
【００１４】
図１（ａ）に示すように、ガイドレール２は、左右の互いに向き合う一側が開口する開口溝２ａを有して略断面コ字状に形成されている。
そして、開口溝２ａの各開口縁部には、それぞれガイドレール２の長手方向に沿って連続するとともに、互いに対向する支持片３，３が一体あるいは別体に形成されている。
また、対向する各支持片３，３の先端部には、ガイドレール２に沿った垂直な軸線をなす略円柱状の回動軸４，４が一体に形成されている。そして、各回動軸４，４には、それぞれ抜止部材５，５が配設される。
【００１５】
抜止部材５は、ガイドレール２の長手方向に沿って連続するように形成された一対の板状体であって、それぞれ支持片３の回動軸４に対応する軸受６を有してスラットカーテン１の表裏方向に回動自在に嵌め込まれている。そして、各抜止部材５，５の互いに対向する各内壁面５ａ，５ａの間には、スラットカーテン１の対応する側端部１ａが挿入されて、その表裏面が各内壁面５ａ，５ａと対向するようにして上下方向に昇降自在に案内される。
【００１６】
このような構成のスラットカーテンの抜止構造を備えたシャッターにおいて、スラットカーテン１が強風を受けた際には、図１（ｂ）に示すように、スラットカーテン１が風圧によって図中下方に撓む。
そして、スラットカーテン１の側端部１ａの表裏面が各抜止部材５，５の内壁面５ａ，５ａと接触し、各抜止部材５，５がスラットカーテン１の撓みに添ってそれぞれ回動する。これにより、図１（ａ）で示すスラットカーテン１が撓んでいない通常使用時における各抜止部材５，５の内壁面５ａ，５ａの間の幅ｔ１が、図１（ｂ）で示す幅ｔ２のごとく狭くなるので、スラットカーテン１の側端部１ａの表裏を各抜止部材５，５の内壁面５ａ，５ａの間で挟持するようになり、スラットカーテン１の抜け出しが防止される。
【００１７】
また、スラットカーテン１がさらなる風圧によって撓もうとした際には、スラットカーテン１に添って各抜止部材５，５がさらに回動し、各内壁面５ａ，５ａの間の幅ｔ２がさらに狭くなって挟持力が更に大きくなるので、ガイドレール２からスラットカーテン１が抜け出すことがない。
【００１８】
なお、スラットカーテン１がさらなる風圧によって撓もうとした時には、各抜止部材５，５の内壁面５ａ，５ａでスラットカーテン１を挟持したままさらに回動することになり、スラットカーテン１の側端部１ａの所定位置に集中応力が係らないので、従来例のようにスラットカーテン１を屈曲させるようなことがない。
【００１９】
したがって、このように構成されたシャッターにおけるスラットカーンの抜止構造では、ガイドレール２の開口溝２ａ内において、スラットカーテン１の表裏方向に回動自在となるように対で設けられるとともに、互いに対向する各内壁面５ａ，５ａの間にスラットカーテン１の側端部１ａが案内挿入される抜止部材５，５を設けたことによって、スラットカーテン１が風圧によって撓んだ際に、スラットカーテン１の撓みに添って各抜止部材５，５が回動して内壁面５ａ，５ａの間隔が狭くなり、その間でスラットカーテン１の側端部１ａを挟持するのでスラットカーテン１のガイドレール２からの抜け出しを防止することができる。
【００２０】
また、スラットカーテン１がさらなる風圧によって撓もうとした際には、スラットカーテン１に添って各抜止部材５，５がさらに回動し、各内壁面５ａ，５ａの間隔がさらに狭くなって挟持力が更に大きくなるので、確実にスラットカーテン１の抜け出しを防止することができる。
【００２１】
ところで、図２に示すように、ガイドレール２の開口溝２ａ内において、上述した各抜止部材５，５の外側面５ｂ，５ｂにコイルバネ等よりなる位置決手段７を設けてもよい。
この位置決手段７によれば、スラットカーテン１が撓んでいない通常使用時において、各抜止部材５，５がスラットカーテン１と平行に位置決め付勢されるので、スラットカーテン１の昇降の際にスラットカーテン１に対して抜止部材５，５の各内壁面５ａ，５ａが不意に接触しないようになる。さらに、スラットカーテン１が撓んだ際には、各抜止部材５，５を介してスラットカーテン１を通常使用時の位置に戻そうとする付勢力が働く。
なお、位置決手段７は、図示したコイルバネに限らず、板バネや軟質性弾性部材等、種々の構成が考えられる。
【００２２】
また、図３に示すように、ガイドレール２の開口溝２ａ内における各抜止部材５，５の端部５ｃ，５ｃを連結して、図中一点鎖線で示すような平行四辺形をなすリンク機構８を構成してもよい。
これによれば、各抜止部材５，５が常に平行な位置関係となるので、各抜止部材５，５が不意にハの字あるいは逆ハの字とならず、スラットカーテン１の表裏に対して各抜止部材５，５の端部５ｃ，５ｃが不意に接触しないようになる。
さらに、位置決手段７とリンク機構８とを兼ね備えた構成としてもよい。
【００２３】
なお、上述した実施の形態では、支持片３がガイドレール２の長手方向に沿って連続して形成され、この支持片３の一体形成された回動軸４に対して、抜止部材５が長手方向に連続して設けられていると説明したが、この限りでなく、抜止部材５を回動軸４の長手方向の所望位置に断続して設けたり、回動軸４をガイドレール２の長手方向の所望位置に断続して形成して、その部分に抜止部材５を設けるようにしてもよい。
ただし、この場合、断続して設けられた全ての抜止部材５がシャッタースラットの昇降（特に下降）を邪魔しないように、前述した位置決手段７等を用いて通常使用時の位置となるようにするとよい。
【００２４】
また、各抜止部材５，５の対向する内壁面５ａ，５ａに、例えば合成ゴムあるいは塩化ビニルなどよりなる摩擦係数の大きい部材を設けることにより、スラットカーテン１が撓んだ際の挟持力が大きくなるので、より確実にスラットカーテン１の抜け出しを防止することができる。
【００２５】
さらに、上述した実施の形態では、スラットカーテン１が下方に撓んだ場合を説明したが、その逆にスラットカーテン１が上方に撓んだ場合であっても、各抜止部材５，５が同様に作用して、スラットカーテン１の抜け出しを防止することができる。
【００２６】
【発明の効果】
以上説明したように本発明によるスラットカーテンの抜止構造は、ガイドレールにおいて、スラットカーテンの表裏方向に回動自在となるように対で設けられるとともに、対向する各内壁面がスラットカーテンの側端部の表裏面にそれぞれ接触し得る抜止部材を設けたことによって、スラットカーテンが風圧によって撓んだ際に、スラットカーテンの撓みに添って各抜止部材が回動し、これにより各内壁面の間隔が狭くなり、その間でスラットカーテンの側端部を挟持するので、スラットカーテンのガイドレールからの抜け出しを防止することができる。
【００２７】
また、スラットカーテン１がさらなる風圧によって撓もうとした際には、スラットカーテンに添って各抜止部材がさらに回動し、各内壁面の間隔がさらに狭くなるので、挟持力が更に大きくなり、確実にスラットカーテンの抜け出しを防止することができる。
【図面の簡単な説明】
【図１】（ａ）本発明のシャッターにおけるスラットカーテンの抜止構造を示す平断面図。
（ｂ）図１（ａ）における動作を示す平断面図。
【図２】他の構成を示す平断面図。
【図３】他の構成を示す平断面図。
【図４】従来のシャッターにおけるスラットカーテンの抜止構造を示す平断面図。
【符号の説明】
１…スラットカーテン、１ａ…側端部、２…ガイドレール、２ａ…開口溝、５…抜止部材、５ａ…内壁面。
【図１】
0003598620.tif 000002
【図２】
0003598620.tif 000003
【図３】
0003598620.tif 000004
【図４】
0003598620.tif 000005